(57)【要約】フラットパネル・ディスプレイユニット（１）は、正面側（５）における表示スクリーン（３）と、対向する後ろ側（１１）における外面（９）を有するリアパネル（７）とを有しており、ディスプレイユニット（１）のリアパネル（７）を、部屋の壁、自動車のダッシュボード、冷蔵庫、又は一つの家具等のような支持構造体の表面（１３）に、着脱可能に取り付けるための取り付け手段であって、粘着手段（３９）、吸盤手段（１９）、フックアンドループ式ファスナ手段（４５）、フック手段及び永久磁石手段（３３）の構成要素を少なくとも含む取り付け手段の部分集合からの様々な手段を有している、取り付け手段を備えている。ディスプレイユニット（１）は、少なくとも１つの一体化された取り付けユニット（１５；１７）であって、前記取り付け手段の集合の部分集合を構成している複数の取り付け手段を有しており、リアパネル（７）の外面（９）に永久的に固定される一体化された取り付けユニット（１５；１７）を備えている。
2006524949.tif 000002
【特許請求の範囲】
【請求項１】
正面側における表示スクリーンと、対向する後ろ側における外面を有するリアパネルとを有するフラットパネル・ディスプレイユニットであって、前記フラットパネル・ディスプレイユニットの前記リアパネルを、支持構造体の表面に着脱可能に取り付けるための取り付け手段を備えており、前記取り付け手段は、取り付け手段の集合からの様々な手段を有しているフラットパネル・ディスプレイユニットにおいて、少なくとも１つの一体化された取り付けユニットであって、前記取り付け手段の集合の部分集合を構成している複数の取り付け手段を有し、前記リアパネルの前記外面に永久的に固定される一体化された取り付けユニットを備えていることを特徴とする、フラットパネル・ディスプレイユニット。
【請求項２】
前記フラットパネル・ディスプレイユニットが、前記リアパネルの前記外面に取り付けられる、複数の、同一の一体化された取り付けユニットを備えていることを特徴とする、請求項１に記載のフラットパネル・ディスプレイユニット。
【請求項３】
前記フラットパネル・ディスプレイユニットが、前記リアパネルの前記外面に取り付けられる複数の一体化された取り付けユニットを備えており、前記一体化された取り付けユニットの少なくとも１つは、少なくとも１つの他の一体化された取り付けユニットの部分集合とは異なる部分集合を構成している複数の組み込み手段を有することを特徴とする、請求項１に記載のフラットパネル・ディスプレイユニット。
【請求項４】
フラットパネル・ディスプレイユニットのような物体を、支持構造体の表面に着脱可能に取り付けるための取り付けユニットにおいて、前記取り付けユニットは一体化された取り付けユニットであって、粘着手段、吸盤手段、フックアンドループ式ファスナ手段、フック手段及び永久磁石手段の構成要素を少なくとも含んでいる取り付け手段の集合からの、様々な取り付け手段を有することを特徴とする、取り付けユニット。
【請求項５】
―  弾性で可撓性である材料から作られている吸盤手段であって、外面とフラットパネル・ディスプレイユニットのリアパネルの外面に向けられるべき軸方向に離間された対向するリア面とを有する底部と、該底部から軸方向に離間されている周部フランジ部であって、支持構造体の対向する面と気密的に協動するのに適している環状リム面を有する周部フランジ部と、中間の弾性的に可撓性である壁部であって、該吸盤手段の弛緩状態における弛緩形状と該吸盤手段の変形された状態における底部に近接している軸方向に変形された形状との間で変形可能である壁部とを有する吸盤手段と、
―  前記吸盤手段の前記底部の前記外面に永久的に固定される永久磁石手段であって、前記吸盤手段が前記変形されている状態にある場合、前記吸盤手段の前記環状リム面とほぼ同一平面上に配される露出している磁石の外面を有する、永久磁石手段と、
を有することを特徴とする、請求項４に記載の取り付けユニット。
【請求項６】
物体への着脱可能な取り付けに適している感圧性接着手段の層であって、前記吸盤手段のリム面及び／又は前記永久磁石手段上に配される層を有することを特徴とする、請求項５に記載の一体化された取り付けユニット。
【請求項７】
フックアンドループ式ファスナ手段部であって、前記吸盤手段が前記変形されている状態にある場合、該フックアンドループ式ファスナ手段部の露出している外面が、前記吸盤手段の環状リム面とほぼ同一平面に配されるように配されている、フックアンドループ式ファスナ手段部を有することを特徴とする、請求項５又は６に記載の一体化された取り付けユニット。
【請求項８】
前記吸盤手段が、前記吸盤手段と対向する面との間に存在する密封された空気の空間を、選択的に外気と大気連通状態にする手動操作可能なバルブ手段を備えていることを特徴とする、請求項５、６又は７に記載の一体化された取り付けユニット。
【発明の詳細な説明】
【技術分野】
【０００１】
本発明は、正面側における表示スクリーンと、反対の後ろ側における外面を有するリアパネルとを有する、フラットパネル・ディスプレイユニットであって、該フラットパネル・ディスプレイユニットのリアパネルを、支持構造体の表面に着脱可能に取り付けるための取り付け手段であって、粘着手段（ａｄｈｅｓｉｖｅ  ｍｅａｎｓ）、吸盤手段（ｓｕｃｔｉｏｎ  ｃｕｐ  ｍｅａｎｓ）、フックアンドループ式ファスナ手段（ｈｏｏｋ−ａｎｄ−ｌｏｏｐ  ｆａｓｔｅｎｉｎｇ  ｍｅａｎｓ）、フック手段及び永久磁石手段の構成要素を少なくとも含む取り付け手段の集合からの様々な手段を有している取り付け手段を備えている、フラットパネル・ディスプレイユニットに関する。
【０００２】
本発明は、フラットパネル・ディスプレイユニットのような物体を、支持構造体の表面に着脱可能に取り付けるための取り付けユニットにも関する。
【背景技術】
【０００３】
携帯可能なマルチメディア製品、更に詳細には、現在開発中のＯＬＥＤテレビジョン装置（ＯＬＥＤ：有機発光ダイオード）又はＬＣＤテレビジョン装置（ＬＣＤ：液晶ディスプレイ）のような携帯可能なテレビジョン装置の製品に対する高まっている重要性により、前記のような製品を、該製品のユーザが（例えば、自動車内、キッチン及び屋外等において、例えば、テレビジョン放送を視聴するために）これを使おうとする様々な場所に取り付けるための新しい仕方が、追求されている。
【０００４】
特開昭６３―００１２６４号明細書は、正面側における表示スクリーンと、反対の後ろ側における外面を有するリアパネルとを有するフラットパネル・ディスプレイユニットを記載している。前記ディスプレイユニットは、部屋の壁、自動車のダッシュボード、冷蔵庫、又は一つの家具等であり得る支持構造体の表面に、該ディスプレイユニットのリアパネルを着脱可能に取り付けるための取り付け手段を備えている。前記取り付け手段は、粘着手段、吸盤手段、フックアンドループ式ファスナ手段、フック手段及び永久磁石手段を含む様々な取り付け手段を有する。これら様々な取り付け手段を収容するように、前記ディスプレイユニットは、自身の後ろ側に、該ディスプレイユニットに備えられる取り付け手段の１つを選択的に挿入するためのチャネルブラケット（ｃｈａｎｎｅｌ  ｂｒａｃｋｅｔ）を備えている。例えば、前記吸盤手段が、前記ディスプレイユニットを、ミラー又はタイル壁のような平面上に取り付けるのに使用されていた場合、ユーザは、前記吸盤手段を前記チャネルブラケットから取り外し、その代わりに前記永久磁石手段を挿入し、次いで、前記ディスプレイユニットを、冷蔵庫及び自動車の車体等のような金属製の支持構造体に取り付けることができる。
【発明の開示】
【発明が解決しようとする課題】
【０００５】
従来技術による前記フラットパネル・ディスプレイユニットを使用する人は、様々な種類の支持構造体であって、様々な種類の取り付け手段の使用を要する支持構造体に、前記ディスプレイユニットを取り付けることができるように、複数の交換可能な別個の取り付け手段を、前記パネル・ディスプレイユニットに保持していなければならなかった。これが、従来技術の解決策における明確な不利な点である。前記別個の取り付け手段は、比較的小さい物品であって、容易に紛失される又は置き忘れられ得るので、前記ディスプレイユニットを異なる種類の支持構造体に取り付けることができる前記取り付け手段の目的を破壊する。製造側においても、消費者に販売されているそれぞれの又はどのディスプレイユニットも、該ディスプレイユニットと共に使用される複数の別個の小型の取り付け手段を備えていなければならないので、物流的問題が増加する。
【０００６】
本発明は、上述で参照した種類のフラットパネル・ディスプレイのような物体の着脱可能な取り付けのためのフラットパネル・ディスプレイユニット及び取り付けユニットであって、添付されている独立請求項1及び４の特徴部分に規定されているフィーチャを特徴とするフラットパネル・ディスプレイユニット及び取り付けユニットを提供することにより、従来技術の不利な点を軽減することを目的とする。
【課題を解決するための手段】
【０００７】
本発明によるフラットパネル・ディスプレイユニットによれば、もはや、様々な種類の支持構造体に対して、ディスプレイユニットを自由に取り付けるために、複数の別個の取り付け手段を有する必要はない。一体化された取り付けユニットは、後方のパネルの外面に、永久的に固定（ｓｅｃｕｒｅ）され、フラットパネル・ディスプレイユニットを様々な種類の支持構造体に取り付けるのに適している。従って、別個の取り付け手段の物品を持ち歩く必要はなく、紛失もし得ない。製造者は、工場においてリアパネルの外面に永久的に固定された前記取り付け手段を備える製品を供給することができる。本発明による前記一体化された取り付けユニットは、フラットパネル・ディスプレイユニット、若しくは本発明の取り付けユニットの使用から利益を得る他の製品の製造者に対して、又はこれを使用し得る消費者に対して直接的に、商用物品として販売されることができる。
【０００８】
請求項２は、本発明によるフラットパネル・ディスプレイユニットの好適実施例を規定している。前記フラットパネル・ディスプレイユニットを、様々な支持構造体に取り付ける機能は、２つ以上の取り付けユニットを設けることにより大幅に向上されると同時に、前記ディスプレイユニットの取り付けが、より確実になされることができる。
【０００９】
本発明の更なる好適実施例は、請求項３に規定されている。一体化された取り付けユニットを、異なる部分集合の取り付け手段を有するディスプレイユニットのリアパネルの外面に設けることにより、該フラットパネル・ディスプレイユニットが、研磨されている平面、金属面、粗い面又は織物表面等を有するほとんど全ての支持構造体に取り付けられることができることが、保証される。
【００１０】
本発明による前記取り付けユニットの好適実施例は、請求項５に規定されている。この実施例において、吸盤手段の内側における利用可能な空間が、金属表面に対する取り付け用の永久磁石手段を収容する利点に使用される。
【００１１】
請求項６は、吸盤手段のリム部及び／又は永久磁石手段における感圧性接着手段を付加的に備えている有利な実施例に関する。
【００１２】
本発明の更なる興味深い実施例は、請求項７に規定されており、例えば、フラットパネル・ディスプレイユニットが取り付けられることができる支持構造体上に設けられている対応するフックアンドループ式ファスナ手段部分又は織物表面への取り付けのために、付加的にフックアンドループ式ファスナ手段が設けられている。
【００１３】
前記吸盤手段を反対の面からの容易に取り外すために、請求項８に規定されている実施例が有利に使用されることができる。ユーザが、フラットパネル・ディスプレイユニットのような物体を、支持構造体の表面から取り外したいと願う場合、バルブ手段を、手動で操作することができる。
【発明を実施するための最良の形態】
【００１４】
本発明は、本発明の実施例の、非限定的な例に関する添付図面を参照して、以下に記載される。
【００１５】
添付図面の図は、任意のスケールで示されており、類似部分は、様々な図において類似の符号によって示されている。
【００１６】
図１は、正面側５における表示スクリーン３と、対向する後方側１１における外面９を有するリアパネル７とを有するフラットパネル・ディスプレイユニット１であって、該ディスプレイユニットは、部屋の壁、自動車のダッシュボード、冷蔵庫、又は一つの家具等のような支持構造体（図示略）の表面１３への、ディスプレイユニット１のリアパネル７の着脱可能な取り付けのための取り付け手段を備えている。前記取り付け手段は、一体化された取り付けユニット１５であって、粘着手段、吸盤手段、フックアンドループ式ファスナ手段、フック手段及び永久磁石手段の構成要素を少なくとも含む取り付け手段の集合からの様々な手段を有する、一体化された取り付けユニット１５を有する。各一体化された取り付けユニット１５は、上述の取り付け手段の部分集合を構成する複数の取り付け手段を有し、接着、ねじ止め又は鋲止め等のような適切な手段によって、リアパネル７の外面９に永久的に固定される。
【００１７】
本用途の文脈において、取り付け手段の部分集合とは、他の集合からの構成要素の全てか、又は他の集合からの構成要素の任意の選択かのいずれかを含む集合を意味する。
【００１８】
図２に示されている実施例において、ディスプレイユニット１は、リアパネルの外面９に取り付けられた４つの同一の一体化された取り付けユニット１５を備えている。代替的には、リアパネル７の外面９に取り付けられている１つ以上の前記一体化された取り付けユニットは、少なくとも１つの他の一体化された取り付けユニットの部分集合とは異なる取り付け手段の部分集合を有することができる。前記のような代替的な取り付けユニットの、後述される例は、図４に示されている取り付けユニット１７である。
【００１９】
図３及び４に示されている取り付けユニット１５及び１７は、例えば、部屋の壁、自動車のダッシュボード、冷蔵庫、又は一つの家具等のような支持構造体（図示略）の表面１３に対する図１によるフラットパネル・ディスプレイユニット１のように、物体の着脱可能な取り付けのために使用されることができる。取り付けユニット１５及び１７は、一体化された取り付けユニットであって、それぞれは、後述される粘着手段、吸盤手段、フックアンドループ式ファスナ手段、フック手段及び永久磁石手段の構成要素を少なくとも含む取り付け手段の集合からの、様々な取り付け手段を有する。
【００２０】
図２及び３を参照すると、取り付けユニット１５は、適切なプラスチック又はゴム材料のような、弾性で可撓性である材料から作られている吸盤手段１９を有し、フラットパネル・ディスプレイユニット１のリアパネルの外面９に向けられるべき外面２３と、反対の軸方向に離間されたリア面２５とを有する底部２１を有している。周部フランジ部２７であって、底部２１から軸方向に離間されており、支持構造体（図示略）の反対の面１３と気密的に協動する環状リム面２９を有する周部フランジ部２７が、設けられている。中間の弾性で可撓性である壁部３１は、底部２１と周部フランジ部２７との間に延在している。示されている当該実施例において、周部フランジ部２７は円形を有している、図２を詳細に参照されたい。しかしながら、楕円形、丸い角を有する正方形又は長方形等のような代替的な形状を、備えることもできる。
【００２１】
中間の弾性で可撓性である壁部３１は、吸盤手段１９の弛緩状態（ｒｅｌａｘｅｄ  ｓｔａｔｅ）における図３に示されている弛緩形状と、吸盤手段１９の変形された状態（図示略）における底部２１に接近している軸方向に変形された形状（図示略）との間で、変形可能である。平面への物体の着脱可能な取り付けのための前記吸盤手段は従来技術において広く知られている事実を考慮して、吸盤手段１９の動作のより詳細な説明は、記載しない。
【００２２】
円状永久磁石手段３３は、吸盤手段１９の底部２１の外面２３に、例えば、粘着手段によって、永久的に固定されている。永久磁石手段３３は、前記変形された状態にある場合、吸盤手段１９上の環状リム面２９とほぼ同一平面に配されている、露出している磁石の外面３５を有する。図２及び３に示されている一体化された取り付けユニット１５の当該実施例において、永久磁石手段３３は、粗い又は不連続な金属構造等のような滑らかでない金属表面に対する磁石の付着性を向上させるように、複数の環状くぼみ又は溝３７を備えることができる。
【００２３】
一体化された取り付けユニット１５は、物体の着脱可能な取り付けに適した種類の、感圧性接着手段（ｐｒｅｓｓｕｒｅ  ｓｅｎｓｉｔｉｖｅ  ａｄｈｅｓｉｖｅ  ｍｅａｎｓ）の層３９を有し、該感圧性接着手段の層３９は、吸盤手段１９のリム面２９上、及び／又は永久磁石手段３５上に配される。従って、取り付けユニットであって、吸盤、粘着若しくは磁石の引力により、又は吸盤、粘着及び磁石の力の何らかの組み合わせにより、対向する面に取り付けられることができる、取り付けユニットが、設けられる。
【００２４】
図４による代替的な一体化された取り付けユニット１７は、図３のものと同一である吸盤手段であって、従って同一の符号によって示されている吸盤手段を備えている。全体的に、図３の磁石手段３３と同一の性質、形状及び寸法の磁石手段４１が、吸盤手段１９の底部２１の外面２３上に設けられている。しかしながら、磁石手段４１の中間部において、フックアンドループ式ファスナ手段部４５が配される円状くぼみ４３が、作られており、この結果、フックアンドループ式ファスナ手段部４５の露出している外面４７は、前記変形された状態にある吸盤手段１９の環状リム面２９とほぼ同一平面に配されている。フックアンドループ式ファスナ手段部４５は、永久磁石手段４１に、例えば、適切な粘着手段によって、固定されることができる。フックアンドループ式ファスナ手段部４５の露出している外面４７が、排他的にループのみを有するのではなく、フックを有する又はもしかするとフックのみを有する場合が、有利であるかもしれない。織物表面又は類似の表面の表面部との相互契合（ｉｎｔｅｒｅｎｇａｇｅｍｅｎｔ）によって取り付けるためのフックアンドループ式ファスナ手段部４５の機能は、露出している外面４７が、フック又はフックのみを有する場合に、向上されるかもしれない。
【００２５】
ひとたび、吸盤手段１９が、該吸盤手段の内側における局部的な真空によって生じる吸引力によって、対向する面と協動すれば、前記対向する面からの前記吸盤手段の取り外しは、前記吸盤手段と前記対向する面との間に存在する密封された空気の空間を、選択的に外気との大気連通（ａｉｒ  ｃｏｍｍｕｎｉｃａｔｉｏｎ）状態にするバルブ手段を手動で操作することにより、容易化されることができる。前記のような手動操作可能なバルブ手段は、図面に示されていないが、従来技術から知られている何らかの適切な種類のものであり得て、例えば、前記吸盤手段の可撓性の壁部３１の外面上に直接的に配されることもでき、又は例えば、管の短い部分等によって、前記吸盤手段に接続されることもできる。適切には、前記バルブ手段は、従来技術から知られている種類のものであり得て、これは、前記吸盤の内部と大気連通状態にある円形開口に挿入されることができる円錐台状（ｆｒｕｓｔｏ−ｃｏｎｉｃａｌ）バルブ体を有し、該円形開口とは、例えば、短い管の自由端における開口、又は前記底部と周部フランジ部との間に延在する吸盤の壁部における貫通孔である。
【００２６】
本発明は、いくつかの特定の例を参照して記載されたが、本発明は、これらの例に限定されるものではなく、独立請求項１及び４の範囲によってのみ限定される。取り付け手段の前記集合は、例えば、上述の構成要素に限定されるものではなく、釘（ｎａｉｌ）又はねじ頭のような、支持表面上に設けられている突起を挿入するための開口手段のような更に異なる構成要素、又は更に他の取り付け手段の構成要素を含むことができる。
【図面の簡単な説明】
【００２７】
【図１】支持構造体の面に取り付けられているフラットパネル・ディスプレイユニットの斜視図である。
【図２】図１によるフラットパネル・ディスプレイユニットの背面図である。
【図３】図２のディスプレイユニットと共に使用される取り付けユニットの中央を通る断面の側面図である。
【図４】取り付けユニットの代替的な実施例の、図３に類似する図である。
【図１】
2006524949.tif 000003
【図２】
2006524949.tif 000004
【図３】
2006524949.tif 000005
【図４】
2006524949.tif 000006
【国際調査報告】
2006524949.tif 000007
2006524949.tif 000008
2006524949.tif 000009